(57)【要約】      （修正有）【課題】高い印刷クオリティを有するモバイル印刷システムを提供する。【解決手段】少なくとも２つのナビゲーションセンサ１１６ａ・１１６ｂ、距離センサ送信器１１４、プロセッサ１１８、及び印刷ノズル１２４を含むハンドヘルド印刷装置１０２と、少なくとも２つの距離センサを含む距離検出モジュールであって、ハンドヘルド印刷装置１０２からある距離において印刷媒体に取り付け可能であり、ハンドヘルド印刷装置の位置データを検出するための距離検出モジュールとを含み、プロセッサ１１８は、距離検出モジュールから受け取った位置データ情報、及び少なくとも２つのナビゲーションセンサから受け取ったナビゲーション情報に基づいて、ハンドヘルド印刷装置の現在の位置、過去の位置、及び予想位置を判定し、ハンドヘルド印刷装置を制御して、印刷要求、及びハンドヘルド印刷装置の予想位置にしたがって、印刷ノズル１２４から印刷流体を供給させる。【選択図】図２
2019104250.tif 000002
【特許請求の範囲】
【請求項１】
モバイル印刷システムであって、
少なくとも２つのナビゲーションセンサ、距離センサ送信器、プロセッサ、及び印刷ノズルを含むハンドヘルド印刷装置と、
少なくとも２つの距離センサを含む距離検出モジュールであって、前記距離検出モジュールが、前記ハンドヘルド印刷装置からある距離において印刷媒体に取り付け可能であり、前記距離検出モジュールが、前記ハンドヘルド印刷装置の位置データを検出するためものである、距離検出モジュールと
を含み、前記プロセッサは、前記距離検出モジュールから受け取った位置データ情報、及び前記少なくとも２つのナビゲーションセンサから受け取ったナビゲーション情報に基づいて、前記ハンドヘルド印刷装置の現在の位置、過去の位置、及び予想位置を判定し、印刷要求、及び前記ハンドヘルド印刷装置の予想位置にしたがって、前記ハンドヘルド印刷装置を制御し、前記印刷ノズルから印刷流体を供給させる、モバイル印刷システム。
【発明の詳細な説明】
【背景技術】
【０００１】
背景
撮像装置、より具体的には、画像印刷システム及び方法は、デスクトッププリンタのように、固定移動パターンのプリントヘッドを有していることが多い。例えば、インクジェット技術を使用する印刷プロセスは、垂直に移動している紙のような印刷媒体に沿ってインクジェットカートリッジを水平に移動させ、インクを紙に対して噴射することによりインクを順次堆積させ、画像を形成することを必要とする。インクジェットプリンタであるかレーザープリンタであるかに関わらず、スタンドアロンのプリンタは通常、プリンタのサイズ、及び印刷可能な印刷媒体のタイプを指示することにより、印刷媒体をプリンタの中まで送り込む。携帯電話、タブレット、及び他のハンドヘルド計算装置や他の画像取り込み装置のようなポータブル電子機器の使用の増加は、モバイルプリンタのより大きな需要をもたらした。
【図面の簡単な説明】
【０００２】
【図１】本開示の種々の態様による、モバイル印刷システムの一例を示すブロック図である。
【図２】本開示の種々の態様による、モバイル印刷システムにおいて有用なモバイル印刷装置の一例を示すブロック図である。
【図３】本開示の種々の態様による、モバイル印刷システムにおいて有用な距離センサの一例を示すブロック図である。
【図４】本開示の種々の態様による、印刷媒体上のモバイル印刷システムの概略図である。
【図５】本開示の種々の態様による、モバイル印刷の方法を示すフロー図である。
【０００３】
詳細な説明
下記の詳細な説明では、本開示の一部を形成している添付の図面が参照される。図面には、本開示を実施することが可能な種々の具体例が、例として示されている。本開示の範囲から外れることなく、他の例を使用してもよく、また、構造的または論理的変更を施してもよいものと理解すべきである。したがって、下記の詳細な説明を制限の意味で解釈してはならない。本開示の範囲は、添付の特許請求の範囲によって規定される。本明細書に記載される種々の例の特徴は、特に断りがない限り、互いに部分的若しくは全体的に組み合わされてもよいものと理解すべきである。
【０００４】
ハンドヘルドのポータブルプリンタが、携帯電話、タブレットその他の電子機器から画像を印刷するために使用されることがある。モバイル電子機器を有するユーザの移動性の増大に伴い、小型のポータブルプリンタによれば、ユーザがデスクトッププリンタがある場所にたどり着くまで待たなければならないことに対比して、ユーザが望む時及び場所で印刷するための柔軟性が得られる。印刷装置の印刷及び動き追跡は通常、２次元平面に制限され、多くの場合、水平面に制限される。モバイル・ハンドヘルド・プリンタは、印刷媒体の表面上でのモバイルプリンタのランダム移動の追跡が難しいことから、貧相な印刷クオリティを有することが多い。また、人の運動技能は、速度や運動パターンが正確かつ一貫したものではないことが多く、デスクトップ印刷装置において実施される種々のコンポーネントに比べて遥かに小さい正確さしか有していないため、モバイルプリンタの将来の運動を予測することは難しい。特に、ハンドヘルドプリンタその他の三次元移動させることが可能なプリンタは、使用中のプリンタの動きを正確に追跡することが難しいことがあり、インクを所望の場所に付与するためにプリンタの将来の運動を予測することは、なおさら難しいことがある。印刷装置の場所が特定されてからインクが印刷媒体上に散布されるまでの時間遅延は、この問題を拡大させる。
【０００５】
図１に示したモバイル印刷システム１００の例を参照すると、モバイル印刷システム１００は、印刷装置１０２、及び距離検出モジュール１０４を含む。印刷装置１０２は、ハンドヘルドの手動式ランダム運動印刷装置である。距離検出モジュール１０４は、印刷装置１０２から分離された別個のモジュールである。距離検出モジュール１０４は、互いに距離Ｄに配置された少なくとも２つの距離センサ受信器１０６ａ、１０６ｂを含む。
【０００６】
上記を念頭に置いて、図１に示した一例によるセンサモジュール１０４をさらに参照すると、センサ受信器１０６ａ、１０６ｂ間の距離Ｄは、固定距離である。一例において、距離Ｄは、３．０インチ（７．６２ｃｍ）から４．０インチ（１０．１６ｃｍ）までであるが、他の距離もまた許容可能である。後で詳しく説明されるように、距離Ｄは、センサモジュール１０４の小型でポータブルなサイズを維持しつつ所望のサイズの印刷ゾーンを確立するために、適宜固定される。
【０００７】
図３を参照すると、センサモジュール１０４は、センサ受信器１０６ａ、１０６ｂの他に、マイクロコントローラ１０８、充電式バッテリー及び充電回路１１０、並びに通信モジュール１１２を含む。マイクロコントローラ１０８は、低電力マイクロコントローラであり、充電式バッテリー１１０の充電寿命を延ばし、最大化するように最適な電力を消費する。マイクロコントローラ１０８は、センサモジュール１０４の動作のための種々の命令を実行する。通信モジュール１１２は、印刷装置１０２の通信モジュール１２０と通信し、センサ受信器１０６ａ、１０６ｂにより検出された位置データを送信する。
【０００８】
距離センサ受信器１０６ａ、１０６ｂは、超音波方式であっても、光学方式であっても、インダクティブ方式であってもよい。距離センサ受信器１０６ａ、１０６ｂは、基準位置として機能するように構成され、印刷媒体に対して取り外し可能に固定される。センサモジュール１０４は、クリップ、クランプ、接着剤、または任意の他の許容できる取り付け手段（図示せず）を使用して、印刷媒体に対して取り外し可能に結合される。距離センサ受信器１０６ａ、１０６ｂによれば、印刷媒体に対する固定された基準位置点が得られる。後で詳しく説明されるように、例えば超音波距離センサ受信器１０６ａ、１０６ｂの場合、印刷装置１０２に含まれる送信器（例えば、図４参照）を用いて三角測量により印刷装置１０２の場所／位置を判定するために、少なくとも２つの距離センサ受信器１０６ａ、１０６ｂが使用される。
【０００９】
図１を参照するとともに、図２に示した印刷装置１０２の例をさらに参照すると、印刷装置１０２は、距離センサ送信器１１４、ナビゲーションセンサ１１６ａ、１１６ｂ、及び印刷ノズル１２４を含む。図２の印刷装置１０２の例に示されているように、プロセッサ１１８、及び通信モジュール１２０もまた含まれている。通信モジュール１２０は、携帯電話のようなモバイル電子機器、及びセンサモジュール１０４と通信する。印刷要求は、電子機器のモバイルアプリケーション（ａｐｐ）、またはオペレーティング・システム（ＯＳ）から開始されることができる。例えば、モバイルアプリケーション（ａｐｐ）をモバイル電子機器にダウンロードすることにより、モバイル電子機器（例えば、電話）は、印刷装置１０２と通信することが可能になる。通信モジュール１２０は、印刷すべき画像データを、携帯電話のような電子機器から受け取る。一例において、通信モジュール１２０は、無線周波数（ＲＦ）モジュールのような無線通信モジュールである。
【００１０】
一例において、距離センサ送信器１１４は超音波の送信に使用され、当該超音波は、印刷装置１０２の場所を判定するために、距離センサ受信器１０６ａ、１０６ｂによって受信され、または検査される。距離センサ受信器１０６ａ、１０６ｂにより受信された超音波から得られる固有情報のデジタル信号は、通信モジュール１１２によって、通信モジュール１２０へ伝送される。これらの信号から、印刷装置１０２の場所が、プロセッサ１１８によって判定される。１以上の距離センサ送信器１１４が使用される場合がある。一例において、印刷装置１０２は、充電式バッテリー及び充電回路１２２を含む。装置に電力を供給する他の手段もまた、許容可能である。一例において、印刷装置１０２は、オン／オフスイッチ（図示せず）を含み、ユーザは、このスイッチを操作することで、要望通りに印刷装置１０２を操作し、またはシャットダウンすることができる。印刷カートリッジ（図示せず）は、印刷装置１０２の中に収容されている。印刷カートリッジは、取り外し可能であり、交換可能である。印刷カートリッジは、印刷ノズル１２４によって付与されるインク、染料、または他の顔料のような印刷材料を格納している。
【００１１】
印刷ノズル１２４またはプリントヘッドは、回転ノズルを含む場合がある。換言すれば、印刷装置１０２が回転されたときに、印刷ノズル１２４は、印刷装置１０２運動及び印刷媒体に対する印刷ノズル１２４アライメントを維持するために、円運動または半円運動を成して回転することができる。印刷ノズル１２４は、印刷装置１０２の回転に応じて、印刷装置１０２及び印刷媒体の印刷姿勢と電気機械的に整列することができる。一例において、ノズルパターンは、ノズル１２４の非線形パターンである。別の例において、ノズル１２４パターンは、非グリッド状である。ノズル１２４は、印刷装置１０２の表面上の場所（すなわち、ｘ、ｙ軸距離）が両方とも互いにオフセットされ、異なる角度で配置される場合がある。ハンドヘルドプリンタ１０２によれば、印刷ノズルが所定の経路に沿って移動する固定プリンタを上回る大きさの運動が可能となり、例えば、印刷装置１０２の回転運動は、特定のノズル１２４がインクを噴射／射出することになる実際の位置にノズル１２４を整列させることを、難しくする。
【００１２】
一例において、ナビゲーションセンサ１１６ａ、１１６ｂは、高速な光学式ナビゲーションセンサである。印刷装置１０２は、少なくとも２つのナビゲーションセンサ１１６ａ、１１６ｂを含む。ナビゲーションセンサ１１６ａ、１１６ｂは、印刷装置１０２上に互いに所定の固定距離で配置される。ナビゲーションセンサ１１６ａ、１１６ｂは、印刷媒体上で移動されたときに、印刷装置１０２の回転を含む位置データをプロセッサ１１８に送信／伝送する。プロセッサ１１８は、印刷ノズル１２４を制御し、インクまたは他の顔料を印刷媒体上に付与する。
【００１３】
図４をさらに参照すると、プロセッサ１１８は、印刷装置１０２が印刷媒体１２６を横切って移動されたときに、各ナビゲーションセンサ１１６ａ、１１６ｂによって検出されたデータから、印刷装置１０２の回転角、速度、及び加速度を判定することができる。プロセッサ１１８は、各受信器１０６ａ、１０６ｂによって検出された、固定の距離センサ送信器１１４に対する距離データを使用して、データ信号を使用し、距離センサ検出ゾーン１２８内における印刷装置１０２の絶対位置を三角測量することができる。距離検出受信器１０６ａ、１０６ｂとナビゲーションセンサ１１６ａ、１１６ｂを組み合わせた使用により、プロセッサ１１８は、ユーザが印刷媒体１２６の境界線内に規定された印刷ゾーン１３０内で印刷装置１０２を移動させたときに、印刷装置１０２の回転角、速度、及び加速度を正確に判定することができる。また、距離検出受信器１０６ａ、１０６ｂとナビゲーションセンサ１１６ａ、１１６ｂを組み合わせた使用により、印刷媒体１２６に対する印刷装置１０２の絶対位置を判定することができる。一例において、印刷装置１０２の数分の一ミリメートル範囲の精度及び分解能は、位置予測技術／プロセスを用いて決定される場合がある。プロセッサ１１８は、種々の技術を使用し、印刷装置１０２の検出及び予測された位置データに基づいて、印刷を停止及び開始する。速度及び加速度データは、いつ印刷を行うかを制御するために使用される。例えば、印刷装置１０２の将来の運動を正確に予測することができない形で印刷装置１０２が移動されている場合、プリントヘッド上のノズル１２４は、印刷材料の噴射を停止されることになる。また、印刷装置１０２は、印刷装置１０２が印刷ゾーン１３０を出ることを検出したときに、印刷媒体１２６上への印刷材料の堆積を一時的に中止することになる。プロセッサ１１８は、印刷装置１０２の場所、回転、速度、及び加速度を含むセンサ１０６、１１６により検出された位置情報に基づいて、印刷装置１０２の印刷ゾーン１３０への復帰、及び／又は、印刷装置１０２の正確に予測可能な経路若しくは予期される運動への復帰を判定し、ノズル１２４に印刷材料の堆積を再開させる。このようにして、印刷の自動的オン／オフ制御が実施される。
【００１４】
プロセッサ１１８により実施される種々の技術は、将来の位置を正確に予測することが難しい時間中は、印刷装置１０２による印刷を停止させる。例えば、印刷装置１０２の運動の方向または速度が突然変更され、または停止された場合、一定速度の印刷段階が再開され、または特定されるまで、ノズル１２４からのインクの噴射は、完全に停止される。位置追跡は継続され、印刷装置１０２を印刷が以前停止された（このとき一定速度）印刷媒体１２６の領域上に再配置し、印刷を再開させることができる。印刷装置１０２は、印刷媒体１２６を横切って様々な方向に移動されてよい。一例において、印刷領域の最上部から開始して印刷領域の底部まで順次移動しながら例えば左右に往復する、印刷装置１０２の規則正しいスウィープ（掃引）運動は、一定速度の確立に有用である。一例において、印刷媒体を横切る印刷装置１０２の運動は、媒体を横切る画家の筆の使用に類似したスウィープ運動である。
【００１５】
システム１００によれば、ユーザのランダムな手の運動の低加速度かつ一定速度の段階に基づいて、ノズル１２４の噴射を決定するプロセスが得られる。ハンドヘルド印刷装置によれば、ユーザは、様々なパターン、角度、及び装置向きを成すように装置を移動させるための柔軟性が得られる。印刷が完了した全ての印刷媒体点は、ナビゲーションセンサ及び距離センサ１０６、１１６によって追跡され、プロセッサ１１８のメモリに記録される。これによって、印刷装置が既に印刷された領域の上を移動するときに、印刷領域が２回をこえて再印刷され、過度な飽和状態になることが防止される。
【００１６】
図４を参照すると、距離検出モジュール１０４は、印刷媒体１２６に対して取り外し可能に結合されるように構成されている。距離センサ受信器１０６ａ、１０６ｂ間の距離Ｄは、印刷ゾーン１３０を確立する。換言すれば、距離センサ受信器１０６ａ，１０６ｂ間の距離Ｄが大きいほど、印刷ゾーン１３０は大きくなり、逆も同様である。距離センサモジュール１０４は、印刷が完了するまで、ユーザによって、印刷媒体１２６に対して取り外し可能に固定されている。距離センサモジュール１０４は、印刷媒体１２６上に配置され、印刷媒体１２６を横切る印刷装置１０２の位置データを生成する。センサモジュール１０４は、クリップ、クランプ、接着剤、又は任意の他の許容可能な取り付け手段を使用して、印刷媒体１０６に対して取り外し可能に結合されることができる。距離検出モジュール１０４は、印刷媒体１２６の周囲境界内において、または印刷媒体１２６の周囲境界の外側において、印刷媒体１２６上に直接配置されることができる。これは、距離センサ受信器１０６ａ、１０６ｂが互いに固定関係で配置されるか否かとは無関係である。図４を参照すると、距離センサ受信器１０６ａ、１０６ｂは、距離センサ検出ゾーン１２８を確立しており、その中に、印刷ゾーン１３０が含まれている。距離センサ検出ゾーン１２８は、印刷ゾーン１３０と同じであってもよい。
【００１７】
モバイル印刷装置１０２が移動され、または印刷媒体１２６上に再配置される際に、モバイル印刷装置１０２の位置は、ナビゲーションセンサ１１６ａ、１１６ｂからのデータに基づいて、リアルタイムで処理される。光学式ナビゲーションセンサ１１６ａ、１１６ｂは、高い分解能、及び高速な位置報告速度を有することができるが、ナビゲーションセンサ１１６ａ、１１６ｂは、生来的に１〜２％の誤差を有することがあり、この誤差は、時間を通して累積され、印刷クオリティを低下させることがある。プロセッサ１１８は、定期的に、距離センサ受信器１０６ａ、１０６ｂから距離データを読み出し、ナビゲーションセンサ１１６ａ、１１６ｂから生じる累積誤差を訂正する。一例においては、ユーザによる高速なランダム運動を受け入れ、カバーするために、距離センサ受信器１０６ａ、１０６ｂのためのデータ報告速度は、遅くてもよい。プロセッサ１１８は、最初に、距離センサ送信器１１４に対するモバイル印刷装置の位置を読み取るとともに、ナビゲーションセンサ１１６ａ、１１６ｂを初期位置にゼロ設定することにより、距離センサ受信器１０６ａ、１０６ｂとナビゲーションセンサ１１６ａ、１１６ｂの両方の有益な態様を利用する。手の動きは、不安定なことがあるため、ハンドヘルド印刷装置が時間の経過にしたがってどこに移動するであろうかを予測することは難しい。システム１００のプロセスは、印刷媒体を横切る往復スウィープ運動が使用される場合のような、運動が比較的一貫している一定速度の段階を識別し、そのような段階中に、印刷装置１０２がどこに移動するであろうかを正確に予測し、インクを噴射する。プロセッサ１１８は、印刷装置１０２の場所変化、及び向き変化を示す運動データを受け取り、将来の印刷装置場所に関する場所及び向きデータを判定する。プロセッサ１１８は、判定に基づいて、印刷のための種々の命令を実行する。
【００１８】
一例において、印刷装置１０２が印刷媒体１２６上に確立された印刷ゾーン１３０の外に移動された場合、印刷装置１０２の距離データは、距離センサ受信器１０６ａ、１０６ｂによって受信されないことになる。一例において、音声または視覚による警告が生成されることがある。さらに、印刷装置１０２が印刷ゾーン１３０内に再配置されるまで、印刷は中止されることがある。印刷ゾーン１３０内の印刷装置１０２の視覚表示は、モバイル計算装置上にも表示される場合がある。ユーザは、画像が印刷装置１０２に送信される前に、計算装置上で、印刷ゾーン１３０内における画像の印刷サイズ、及び、印刷ゾーン１３０内におけるユーザが望む画像の配置（例えば、中心外れ、中心揃え）を決定することができる。
【００１９】
図４に戻って引き続き参照すると、距離センサ受信器１０６ａ、１０６ｂは、印刷媒体１２６上に互いに固定距離Ｄに配置されている。距離センサ１０６ａ、１０６ｂと距離センサ送信器１１４との間における三角測量を確立するために、印刷装置１０２の距離センサ送信器１１４は最初に、距離センサ１０６ａから距離Ｄ１、かつ距離センサ１０４ｂから距離Ｄ２に配置される。印刷装置１０２が移動され、または印刷媒体１２６上に再配置されると、距離Ｄ１及びＤ２は変化するが、距離Ｄは、固定されたままである。
【００２０】
図４に示されるように、ナビゲーションセンサ１１６ａ、１１６ｂは、印刷装置１０２上に互いに固定距離Ｌ１に配置され、また、ナビゲーションセンサ１１６ｂは、印刷装置１０２上に距離センサ送信器１１４から固定距離Ｌ２に配置されている。印刷装置１０２上のナビゲーションセンサ１１６ａ、１１６ｂは、印刷装置１０２が移動され、または印刷媒体１２６上に再配置されたときに、印刷装置１０２の回転及び向きを検出する。例えば、印刷装置１０２は当初、ナビゲーションセンサ１１６ａが座標（Ｘ１，Ｙ１）を有し、ナビゲーションセンサ１１６ｂが座標（Ｘ２，Ｙ２）を有し、及び距離センサ送信器が座標（Ｘ０，Ｙ０）を有する形で、印刷媒体１２６上に配置される。印刷装置１０２が回転態様で再配置されると、１０２Δで示されるように、ナビゲーションセンサ１１６ａΔは、座標（Ｘ１＋ΔＸ１，Ｙ１＋ΔＹ１）を有し、ナビゲーションセンサ１１６ｂは、座標（Ｘ２＋ΔＸ２，Ｙ２＋ΔＹ２）を有することになる。当初の座標データ、及び再配置後の座標データをプロセッサ１１８によって処理することで、印刷媒体１２６を横切る運動の連続した経路が判定される。
【００２１】
印刷システム１００を使用して、平坦でない表面に対する印刷を行うことも可能である。例えば、印刷は、布、皮膚、または他のタイプの印刷表面に対して行われてもよい。平坦でない印刷が望ましい一例においては、２対の距離センサ１０６ａ、１０６ｂが印刷媒体１２６上に配置される。他の数量の距離センサ１０６ａ、１０６ｂが使用されてもよい。印刷システム１００を使用して、例えば、容器の垂直な側面、または壁のような垂直面に対する印刷を行うことができる。
【００２２】
図５は、一例による印刷の方法３００を示している。３０２では、印刷媒体上に配置されたハンドヘルド印刷装置において画像データを受け取る。３０４では、ハンドヘルド印刷装置から、ハンドヘルド印刷装置から離れた場所にある印刷媒体上に配置された距離検出モジュール上の受信センサへ信号を送信し、ハンドヘルド印刷装置の場所及び位置移動を判定する。３０６では、ハンドヘルド印刷装置が印刷媒体を横切って手動で移動されたときに、ハンドヘルド印刷装置上に配置されたナビゲーションセンサを用いて、ハンドヘルド印刷装置の回転、及び加速度を検出する。３０８では、ハンドヘルド印刷装置が印刷媒体を横切って手動で移動されたときの、ハンドヘルド印刷装置の検出された場所及び位置移動、並びに検出された回転及び加速度に基づいて、ハンドヘルド印刷装置の予想される運動の経路を判定する。３１０では、印刷要求、及び予想される運動の判定された経路にしたがって、印刷材料を印刷ゾーン内に堆積させる。所望の印刷画像が印刷媒体上に転写（すなわち、印刷）されるまで、ステップ３０４から３１０までを繰り返すことにより、印刷の方法３００は継続される。
【００２３】
本明細書では、種々の具体例が図示説明されているが、本開示の範囲から外れることなく、図示説明された具体例は、種々の代替、及び／又は均等実施形態によって置き換えられてもよい。この出願は、本明細書において説明した具体例の如何なる修正または変更をもカバーすることが意図されている。したがって、本開示は、特許請求の範囲、及びその均等によってのみ制限されることが意図されている。
【００２４】
本発明の例示的実施形態を以下に列挙する。
Ａ１．モバイル印刷システムであって、
少なくとも２つのナビゲーションセンサ、距離センサ送信器、プロセッサ、及び印刷ノズルを含むハンドヘルド印刷装置と、
少なくとも２つの距離センサを含む距離検出モジュールであって、前記距離検出モジュールが、前記ハンドヘルド印刷装置からある距離において印刷媒体に取り付け可能であり、前記距離検出モジュールが、前記ハンドヘルド印刷装置の位置データを検出するためものである、距離検出モジュールと
を含み、前記プロセッサは、前記距離検出モジュールから受け取った位置データ情報、及び前記少なくとも２つのナビゲーションセンサから受け取ったナビゲーション情報に基づいて、前記ハンドヘルド印刷装置の現在の位置、過去の位置、及び予想位置を判定し、印刷要求、及び前記ハンドヘルド印刷装置の予想位置にしたがって、前記ハンドヘルド印刷装置を制御し、前記印刷ノズルから印刷流体を供給させる、モバイル印刷システム。
Ａ２．前記距離センサは、前記送信器によって放射された超音波を検出する、Ａ１に記載のモバイル印刷システム。
Ａ３．前記受信器は、超音波方式である、Ａ１に記載のモバイル印刷システム。
Ａ４．前記少なくとも２つのナビゲーションセンサは、
２つの高速な光学センサ
を含む、Ａ１に記載のモバイル印刷システム。
Ａ５．前記少なくとも２つのナビゲーションセンサは、固定距離において前記モバイル印刷装置に取り付けられる、Ａ１に記載のモバイル印刷システム。
Ａ６．前記プロセッサは、前記少なくとも２つの距離センサ、及び前記少なくとも２つのナビゲーションセンサによって検出された位置データに基づいて、前記モバイル印刷装置の回転角、速度、及び加速度を判定するためものである、Ａ１に記載のモバイル印刷システム。
Ａ７．モバイルプリンタであって、
ハンドヘルドになるように形成され、ユーザの単一の手で印刷媒体を横切って操作されるハウジングと、
前記ハウジング内に固定的に配置され、当該モバイルプリンタの回転運動、速度、及び加速度を検出するための少なくとも２つのナビゲーションセンサと、
遠隔の超音波センサに超音波を送信するための送信器と、
印刷ノズルのアレイと、
当該モバイルプリンタの位置、及び動きを判定するとともに、少なくとも２つのナビゲーションセンサからの回転運動、速度、及び加速度情報に基づいて、予想される運動を判定し、印刷要求、及び前記予想される運動にしたがって、当該モバイルプリンタを制御し、前記印刷ノズルのアレイからインクを供給させ、前記印刷媒体上にインクを堆積させる、モバイルプリンタ。
Ａ８．前記印刷ノズルのアレイは、回転式である、Ａ７に記載のモバイルプリンタ。
Ａ９．前記少なくとも２つのナビゲーションセンサは、光学式である、Ａ７に記載のモバイルプリンタ。
Ａ１０．前記印刷ノズルのアレイは、非線形の非グリッド構成を成して配置される、Ａ７に記載のモバイルプリンタ。
Ａ１１．印刷の方法であって、
印刷媒体上に配置されたハンドヘルド印刷装置において画像データを受け取り、
前記ハンドヘルド印刷装置から、前記ハンドヘルド印刷装置から離れた場所にある前記印刷媒体上に配置された距離検出モジュール上の受信センサへ信号を送信し、前記ハンドヘルド印刷装置の場所、及び位置移動を判定し、
前記ハンドヘルド印刷装置が前記印刷媒体を横切って手動で移動されるときに、前記ハンドヘルド印刷装置上に配置されたナビゲーションセンサを用いて、前記ハンドヘルド印刷装置の回転、及び加速度を検出し、
前記ハンドヘルド印刷装置が前記印刷媒体を横切って手動で移動されるときの前記ハンドヘルド印刷装置の検出された場所、及び位置移動、並びに検出された回転、及び加速度に基づいて、前記ハンドヘルド印刷装置の予想される移動の経路を判定し、
印刷要求、及び前記判定された予想される移動の経路にしたがって、前記印刷ゾーン内に印刷材料を堆積させること
を含む、印刷の方法。
Ａ１２．前記ハンドヘルド印刷装置が前記距離検出モジュールにより規定された印刷ゾーンを出ることが検出された場合、前記印刷媒体上への印刷材料の堆積を自動的に中断すること
を含む、Ａ１１に記載の方法。
Ａ１３．前記印刷ゾーン内への前記ハンドヘルド印刷装置の検出された復帰に基づいて、前記印刷媒体上への印刷材料の堆積を自動的に再開すること
を含む、Ａ１２に記載の方法。
Ａ１４．前記ハンドヘルド印刷装置を手動で移動させることは、前記印刷媒体を横切る前記ハンドヘルド印刷装置の掃引往復運動の形を有する、Ａ１１に記載の方法。
Ａ１５．前記印刷材料の堆積を自動的に中断することは、前記ハンドヘルド印刷装置の前記検出された場所、及び位置移動、並びに検出された回転、及び加速度に基づいて、前記予想される移動の経路が判定不可能である場合に行われる、Ａ１１に記載の方法。
【図１】
2019104250.tif 000003
【図２】
2019104250.tif 000004
【図３】
2019104250.tif 000005
【図４】
2019104250.tif 000006
【図５】
2019104250.tif 000007